(57)【要約】【課題】近端クロストークを軽減することを可能とする。【解決手段】一対の信号線３を備えると共に１本のドレイン線９を備えている伝送ケーブル１をコネクタ１７に接続する際に、一対の信号線３はシグナルコンタクト２１の上下面に振り分けて接続する。ドレイン線９はグランドコンタクト２５を構成する弾性力を備えたアーム状をなす上、下端子部２７，２９の先端部の間に設けたクランプ部３７に前記弾性力に抗して容易に差し込まれ、接続される。差し込まれたドレイン線９は上、下端子部２７，２９の弾性力によって簡単には外れない。また、ドレイン線７が上下方向のほぼ中央位置のクランプ部３７に接続されるので、２つの信号線３からグランドへ流れる電流の経路が均一になる。結果として近端クロストークが軽減され、コネクタ接続部における各信号線３の特性インピーダンスの偏りが無くなる。【選択図】　　　図１
2004087197.tif 000002
【特許請求の範囲】
【請求項１】
一対の信号線を備えると共に１本のドレイン線を備えている伝送ケーブルを接続すべく、一対の信号線を上下に振り分けて接続する接続部を上下面に備えたシグナルコンタクトと、前記ドレイン線を接続する接続部を設けたグランドコンタクトと、を備えたコネクタにおいて、
前記グランドコンタクトが、アーム状をなす上端子部及び下端子部と、この上、下端子部の先端側に弾性力を持たすべく上、下端子部のほぼ中間を一体的に連結するブリッジ部と、前記上、下端子部の先端部の上下方向のほぼ中央位置で前記弾性力によりドレイン線をクランプして接続するクランプ部と、から構成してなることを特徴とするコネクタ。
【請求項２】
前記上、下端子部のクランプ部のうちの少なくとも一方のクランプ部に、ドレイン線に食い込む突起部を設けてなることを特徴とする請求項１記載のコネクタ。
【請求項３】
前記上、下端子部のクランプ部のうちの少なくとも一方のクランプ部に、先端側に広がるテーパ部を設けてなることを特徴とする請求項１又は２記載のコネクタ。
【請求項４】
一対の信号線と１本のドレイン線を備えている伝送ケーブルを、信号線を接続するシグナルコンタクトとドレイン線を接続するグランドコンタクトとを備えたコネクタに接続する伝送ケーブルの接続方法において、
一対の信号線をシグナルコンタクトの上下面に振り分けて接続し、グランドコンタクトを構成する弾性力を備えたアーム状をなす上端子部及び下端子部の先端部の間に設けた上下方向のほぼ中央位置のクランプ部にドレイン線を前記弾性力に抗して差し込むことにより、前記上、下端子部の弾性力でドレイン線をクランプして接続することを特徴とする伝送ケーブルの接続方法。
【請求項５】
前記上、下端子部のクランプ部のうちの少なくとも一方のクランプ部に設けた突起部により、ドレイン線に食い込むようにクランプすることを特徴とする請求項４記載の伝送ケーブルの接続方法。
【請求項６】
前記上、下端子部のクランプ部のうちの少なくとも一方のクランプ部に設けた先端側に広がるテーパ部により、ドレイン線をクランプ部へ差し込み易くすることを特徴とする請求項４又は５記載の伝送ケーブルの接続方法。
【請求項７】
伝送ケーブルの信号線をコネクタのシグナルコンタクトに、伝送ケーブルのドレイン線をコネクタのグランドコンタクトに接続する伝送ケーブルの接続構造において、
前記シグナルコンタクトに、一対の信号線を上下に振り分けて接続する接続部を上下面に設け、前記グランドコンタクトに、アーム状をなす上端子部及び下端子部と、この上、下端子部の先端側に弾性力を持たすべく上、下端子部のほぼ中間を一体的に連結するブリッジ部と、前記上、下端子部の先端部の上下方向のほぼ中央位置で前記弾性力によりドレイン線をクランプして接続するクランプ部と、を設けてなることを特徴とする伝送ケーブルの接続構造。
【請求項８】
前記上、下端子部のクランプ部のうちの少なくとも一方のクランプ部に、ドレイン線に食い込む突起部を設けてなることを特徴とする請求項７記載の伝送ケーブルの接続構造。
【請求項９】
前記上、下端子部のクランプ部のうちの少なくとも一方のクランプ部に、先端側に広がるテーパ部を設けてなることを特徴とする請求項７又は８記載の伝送ケーブルの接続構造。
【発明の詳細な説明】
【０００１】
【発明の属する技術分野】
この発明は、伝送ケーブルとの接続に用いるコネクタ及びこのコネクタを用いた伝送ケーブルの接続方法並びその接続構造に関する。
【０００２】
【従来の技術】
従来、コンピュータなどのサーバ間に使用する集合ケーブルがあり、通信信号などを大容量で瞬時に送信しても、受信及び送信が瞬時または同時にスムーズに行う場合などに用いられる。上記の集合ケーブルは多数の信号線又は信号線対を内周側から外周側へ複数層状に配置して構成される。なお、信号線とは外周に低密度絶縁体からなる被覆材を被覆して構成されており、信号線対とは一対の信号線を平行に保持した２芯同軸ケーブル（ツイナックス）である。
【０００３】
図６を参照するに、２芯同軸ケーブル１０１は１又は２本のドレイン線１０３が２本のドレイン線接続側の信号線１０５Ａ、ドレイン線非接続側のドレイン線１０５Ｂにほぼ平行に添えられてシールドされており、この２芯同軸ケーブル１０１が接続されるコネクタ１０７は上記の２本の信号線１０５Ａ，１０５Ｂを接続するためのシグナルコンタクト１０９と、ドレイン線１０３を接続するグランドとしてのグランドコンタクト１１１とが設けられている。
【０００４】
上記のコネクタ１０７への接続方法としては、２本の信号線１０５Ａ，１０５Ｂがそれぞれ１本ずつシグナルコンタクト１０９の上下面に例えば半田付けで接続され、ドレイン線１０３はグランドコンタクト１１１の上下面のいずれか一方に例えば図６では上面に半田付けで接続される。
【０００５】
【発明が解決しようとする課題】
ところで、従来のコネクタ１０７への接続方法においては、ドレイン線１０３の接続がグランドコンタクト１１１の片面のみであることから、導体露出部においてドレイン線接続側の信号線１０５Ａとドレイン線１０３、ドレイン線非接続側の信号線１０５Ｂとドレイン線１０３の間隔に、図１５において矢印で示したごとく、違いができる。すなわち、ドレイン線接続側の信号線１０５Ａとドレイン線１０３との間隔が、ドレイン線非接続側の信号線１０５Ｂとドレイン線１０３との間隔に比べて狭くなる。
【０００６】
この違いにより、信号線１０５Ａ，１０５Ｂとドレイン線１０３との間に生じる電界に違いができる。ドレイン線１０３と近い信号線１０５Ａは電気力線がドレイン線１０３に収束する割合が増大し、誘導起電力（クロストーク）が減少する。一方、ドレイン線１０３との距離が遠い信号線１０５Ｂは、電気力線がドレイン線１０３に収束する割合が減少し、誘導起電力（クロストーク）が増大するという問題があった。
【０００７】
また、各２芯同軸ケーブル１０１のグランド電位を共通にするため、すべてのグランドコンタクト１１１のグランド同士を導通させる必要があるので複雑となり、伝送特性においても不安定な要因になり得るという問題点があった。
【０００８】
この発明は上述の課題を解決するためになされたもので、その目的は、ドレイン線と信号線との距離を等しくするようにして、両信号線が生じる電界がほぼ対称となり、両信号線からのクロストークが均一となり、また、その結果として、近端クロストークが軽減され、特性インピーダンスも均一になること、またコモングランド接続を可能とした伝送ケーブルの接続方法及びコネクタを提供することにある。
【０００９】
【課題を解決するための手段】
上記目的を達成するために請求項１によるこの発明のコネクタは、一対の信号線を備えると共に１本のドレイン線を備えている伝送ケーブルを接続すべく、一対の信号線を上下に振り分けて接続する接続部を上下面に備えたシグナルコンタクトと、前記ドレイン線を接続する接続部を設けたグランドコンタクトと、を備えたコネクタにおいて、
前記グランドコンタクトが、アーム状をなす上端子部及び下端子部と、この上、下端子部の先端側に弾性力を持たすべく上、下端子部のほぼ中間を一体的に連結するブリッジ部と、前記上、下端子部の先端部の上下方向のほぼ中央位置で前記弾性力によりドレイン線をクランプして接続するクランプ部と、から構成してなることを特徴とするものである。
【００１０】
したがって、ドレイン線は上、下端子部の弾性力に抗してクランプ部に容易に差し込まれる。しかも、差し込まれたドレイン線は上、下端子部の弾性力により容易に外れないようにクランプ部で確実にクランプされて接続される。
【００１１】
さらに、ドレイン線がグランドコンタクトの上下方向のほぼ中央位置のクランプ部に接続されることから、２つの信号線からグランドへ流れる電流の経路が上下対称に均一になるので近端クロストークが軽減され、コネクタ接続部における各信号線の特性インピーダンスの偏りが無くなる。
【００１２】
請求項２によるこの発明のコネクタは、請求項１記載のコネクタにおいて、前記上、下端子部のクランプ部のうちの少なくとも一方のクランプ部に、ドレイン線に食い込む突起部を設けてなることを特徴とするものである。
【００１３】
したがって、クランプ部でクランプされたドレイン線は、突起部によってより一層簡単には外れなくなる。
【００１４】
請求項３によるこの発明のコネクタは、請求項１又は２記載のコネクタにおいて、前記上、下端子部のクランプ部のうちの少なくとも一方のクランプ部に、先端側に広がるテーパ部を設けてなることを特徴とするものである。
【００１５】
したがって、ドレイン線は、前方側へ広がるテーパ部によって、より一層容易にクランプ部へ差し込まれる。
【００１６】
請求項４によるこの発明の伝送ケーブルの接続方法は、一対の信号線と１本のドレイン線を備えている伝送ケーブルを、信号線を接続するシグナルコンタクトとドレイン線を接続するグランドコンタクトとを備えたコネクタに接続する伝送ケーブルの接続方法において、
一対の信号線をシグナルコンタクトの上下面に振り分けて接続し、グランドコンタクトを構成する弾性力を備えたアーム状をなす上端子部及び下端子部の先端部の間に設けた上下方向のほぼ中央位置のクランプ部にドレイン線を前記弾性力に抗して差し込むことにより、前記上、下端子部の弾性力でドレイン線をクランプして接続することを特徴とするものである。
【００１７】
したがって、請求項１記載の作用と同様であり、ドレイン線は上、下端子部の弾性力に抗してクランプ部に容易に差し込まれる。しかも、差し込まれたドレイン線は上、下端子部の弾性力により容易に外れないようにクランプ部で確実にクランプされて接続される。
【００１８】
さらに、ドレイン線がグランドコンタクトの上下方向のほぼ中央位置のクランプ部に接続されることから、２つの信号線からグランドへ流れる電流の経路が上下対称に均一になるので近端クロストークが軽減され、コネクタ接続部における各信号線の特性インピーダンスの偏りが無くなる。
【００１９】
請求項５によるこの発明の伝送ケーブルの接続方法は、請求項４記載の伝送ケーブルの接続方法において、前記上、下端子部のクランプ部のうちの少なくとも一方のクランプ部に設けた突起部により、ドレイン線に食い込むようにクランプすることを特徴とするものである。
【００２０】
したがって、請求項２記載の作用と同様であり、クランプ部でクランプされたドレイン線は、突起部によってより一層簡単には外れなくなる。
【００２１】
請求項６によるこの発明の伝送ケーブルの接続方法は、請求項４又は５記載の伝送ケーブルの接続方法において、前記上、下端子部のクランプ部のうちの少なくとも一方のクランプ部に設けた先端側に広がるテーパ部により、ドレイン線をクランプ部へ差し込み易くすることを特徴とするものである。
【００２２】
したがって、請求項３記載の作用と同様であり、ドレイン線は、前方側へ広がるテーパ部によって、より一層容易にクランプ部へ差し込まれる。
【００２３】
請求項７によるこの発明の伝送ケーブルの接続構造は、伝送ケーブルの信号線をコネクタのシグナルコンタクトに、伝送ケーブルのドレイン線をコネクタのグランドコンタクトに接続する伝送ケーブルの接続構造において、
前記シグナルコンタクトに、一対の信号線を上下に振り分けて接続する接続部を上下面に設け、前記グランドコンタクトに、アーム状をなす上端子部及び下端子部と、この上、下端子部の先端側に弾性力を持たすべく上、下端子部のほぼ中間を一体的に連結するブリッジ部と、前記上、下端子部の先端部の上下方向のほぼ中央位置で前記弾性力によりドレイン線をクランプして接続するクランプ部と、を設けてなることを特徴とするものである。
【００２４】
したがって、請求項１記載の作用と同様であり、ドレイン線は上、下端子部の弾性力に抗してクランプ部に容易に差し込まれる。しかも、差し込まれたドレイン線は上、下端子部の弾性力により容易に外れないようにクランプ部で確実にクランプされて接続される。
【００２５】
さらに、ドレイン線がグランドコンタクトの上下方向のほぼ中央位置のクランプ部に接続されることから、２つの信号線からグランドへ流れる電流の経路が上下対称に均一になるので近端クロストークが軽減され、コネクタ接続部における各信号線の特性インピーダンスの偏りが無くなる。
【００２６】
請求項８によるこの発明の伝送ケーブルの接続構造は、請求項７記載の伝送ケーブルの接続構造において、前記上、下端子部のクランプ部のうちの少なくとも一方のクランプ部に、ドレイン線に食い込む突起部を設けてなることを特徴とするものである。
【００２７】
したがって、請求項２記載の作用と同様であり、クランプ部でクランプされたドレイン線は、突起部によってより一層簡単には外れなくなる。
【００２８】
請求項９によるこの発明の伝送ケーブルの接続構造は、請求項７又は８記載の伝送ケーブルの接続構造において、前記上、下端子部のクランプ部のうちの少なくとも一方のクランプ部に、先端側に広がるテーパ部を設けてなることを特徴とするものである。
【００２９】
したがって、請求項３記載の作用と同様であり、ドレイン線は、前方側へ広がるテーパ部によって、より一層容易にクランプ部へ差し込まれる。
【００３０】
【発明の実施の形態】
以下、この発明の実施の形態について図面を参照して説明する。
【００３１】
この実施の形態に係わる伝送ケーブルとしては、図５（Ａ），（Ｂ）を参照するに、２芯同軸ケーブル１は、中心導体としての信号線３の外周に絶縁体からなる被覆材５が被覆されており、この信号線３のペア線にドレイン線７とが添えられ、例えばアルミ等のテープ材９が外周に巻き付けられている。
【００３２】
図１を参照するに、この発明の実施の形態のコネクタ１７及び上記の２芯同軸ケーブル１をコネクタ１７に接続する場合の接続構造について説明すると、コネクタ１７は２芯同軸ケーブル１の２本の信号線３を上下に振り分けて接続するための接続部１９Ａ，１９Ｂを上下面に設けたシグナルコンタント２１と、ドレイン線９を上下方向のほぼ中央に接続する接続部としての例えばグランド接続部２３を設けたグランドとしてのグランドコンタクト２５と、から構成されている。
【００３３】
ここで、この発明の実施の形態の主要部を構成するグランドコンタクト２５についてより詳しく説明する。
【００３４】
図２を併せて参照するに、グランドコンタクト２５は、前後方向（図２において左右方向）に延伸したアーム状をなす上端子部２７と下端子部２９が設けられ、この上、下端子部２７，２９は前後方向（図２において左右方向）のほぼ中間をブリッジ部３１により一体的に連結されている。また、上、下端子部２７，２９はブリッジ部３１を基準として前方側にアーム状となって図２において上下方向に撓み可能な弾性力を有している。
【００３５】
さらに、上、下端子部２７，２９の先端部には図２において上下方向のほぼ中央位置で対向する上クランプ部３３と下クランプ部３５とからなるクランプ部３７が設けられており、上、下端子部２７，２９の弾性力により前記上、下クランプ部３３，３５でドレイン線９がクランプされてグランドコンタクト２５に接続されるように構成されている。なお、上記のクランプ部３７がグランドコンタクト２５のグランド接続部２３に該当するものである。
【００３６】
上記のコネクタ１７へ２芯同軸ケーブル１を接続する方法としては、２芯同軸ケーブル１の２本の信号線３がそれぞれ１本ずつシグナルコンタクト２１の上下面の接続部１９Ａ，１９Ｂに振り分けて例えば半田付けで接続される。
【００３７】
一方、ドレイン線９は、図３（Ａ）の矢印に示されているようにグランドコンタクト２５の上下方向のほぼ中央位置の上クランプ部３３と下クランプ部３５との間に差し込まれる。なお、ドレイン線９の上下方向の厚みは上クランプ部３３と下クランプ部３５との間隙（隙間）より若干大きくなっている。ドレイン線９が上クランプ部３３と下クランプ部３５との間に、上記の上、下端子部２７，２９の弾性力に抗して差し込まれると、図３（Ｂ）に示されているように上、下端子部２７，２９が相反する方向へ撓んで上クランプ部３３と下クランプ部３５との間隔が上下に広がるので、ドレイン線９が矢印方向に容易に差し込まれることとなる。しかも、差し込まれたドレイン線９は、図３（Ｃ）に示されているように上、下端子部２７，２９の弾性力により上クランプ部３３と下クランプ部３５の間で確実に押し潰されるようにクランプされるので容易に外れることはない。
【００３８】
さらに、ドレイン線９がグランドコンタクト２５の上下方向で対称に振り分ける位置のグランド接続部２３としてのクランプ部３７に接続されることより、２本の信号線３からグランド（ＧＮＤ）へ流れる電流の経路が均一になるので近端クロストークが軽減され、コネクタ接続部における各信号線３の特性インピーダンスの偏りを無くすることが可能となる。
【００３９】
図４（Ａ），（Ｂ）を参照するに、上記の上、下端子部２７，２９のクランプ部３７を構成する上、下クランプ部３３，３５のうちの少なくとも一方のクランプ部例えば上クランプ部３３に、ドレイン線９に食い込む突起部３９を設けることが望ましい。その結果、上、下クランプ部３３，３５でクランプされたドレイン線９は、突起部３９によってより一層確実にクランプされ、簡単には外れなくなる。
【００４０】
また、上記の突起部３９の前方側〔図４（Ａ），（Ｂ）において上クランプ部３３の左側〕には、前方側へ広がるテーパ面を備えるテーパ部４１が設けられているので、ドレイン線９をより一層容易にクランプ部３７へ差し込むことができるという点で、このテーパ部４１を設けることが望ましい。
【００４１】
なお、この発明は前述した実施の形態に限定されることなく、適宜な変更を行うことによりその他の態様で実施し得るものである。
【００４２】
【発明の効果】
以上のごとき発明の実施の形態の説明から理解されるように、請求項１の発明によれば、ドレイン線を上、下端子部の弾性力に抗してクランプ部に容易に差し込んで接続することができる。しかも、差し込まれたドレイン線が上、下端子部の弾性力によってクランプ部で確実にクランプでき、簡単には外れないように接続できる。
【００４３】
さらに、ドレイン線をグランドコンタクトの上下方向のほぼ中央位置のクランプ部に接続したので、２つの信号線からグランドへ流れる電流の経路を上下対称に均一にできる。その結果、近端クロストークを軽減でき、コネクタ接続部における各信号線の特性インピーダンスの偏りを無くすことができる。
【００４４】
請求項２の発明によれば、クランプ部に突起部を設けることにより、ドレイン線をより一層簡単に外れなくクランプできる。
【００４５】
請求項３の発明によれば、前方側へ広がるテーパ部をクランプ部に設けることにより、ドレイン線をより一層容易にクランプ部へ差し込むことができる。
【００４６】
請求項４の発明によれば、請求項１記載の効果と同様であり、ドレイン線を上、下端子部の弾性力に抗してクランプ部に容易に差し込んで接続することができる。しかも、差し込まれたドレイン線が上、下端子部の弾性力によってクランプ部で確実にクランプでき、簡単には外れないように接続できる。
【００４７】
さらに、ドレイン線をグランドコンタクトの上下方向のほぼ中央位置のクランプ部に接続したので、２つの信号線からグランドへ流れる電流の経路を上下対称に均一にできる。その結果、近端クロストークを軽減でき、コネクタ接続部における各信号線の特性インピーダンスの偏りを無くすことができる。
【００４８】
請求項５の発明によれば、請求項２記載の効果と同様であり、クランプ部に突起部を設けることにより、ドレイン線をより一層簡単に外れなくクランプできる。
【００４９】
請求項６の発明によれば、請求項３記載の効果と同様であり、前方側へ広がるテーパ部をクランプ部に設けることにより、ドレイン線をより一層容易にクランプ部へ差し込むことができる。
【００５０】
請求項７の発明によれば、請求項１記載の効果と同様であり、ドレイン線を上、下端子部の弾性力に抗してクランプ部に容易に差し込んで接続することができる。しかも、差し込まれたドレイン線が上、下端子部の弾性力によってクランプ部で確実にクランプでき、簡単には外れないように接続できる。
【００５１】
さらに、ドレイン線をグランドコンタクトの上下方向のほぼ中央位置のクランプ部に接続したので、２つの信号線からグランドへ流れる電流の経路を上下対称に均一にできる。その結果、近端クロストークを軽減でき、コネクタ接続部における各信号線の特性インピーダンスの偏りを無くすことができる。
【００５２】
請求項８の発明によれば、請求項２記載の効果と同様であり、クランプ部に突起部を設けることにより、ドレイン線をより一層簡単に外れなくクランプできる。
【００５３】
請求項９の発明によれば、請求項３記載の効果と同様であり、前方側へ広がるテーパ部をクランプ部に設けることにより、ドレイン線をより一層容易にクランプ部へ差し込むことができる。
【図面の簡単な説明】
【図１】この発明の実施の形態における伝送ケーブルのコネクタ接続状態を示す斜視図である。
【図２】この発明の実施の形態のコネクタのグランドコンタクトの側面図である。
【図３】（Ａ）〜（Ｃ）は、伝送ケーブルのドレイン線をグランドコンタクトのクランプ部へ接続する工程の状態説明図である。
【図４】（Ａ），（Ｂ）は、クランプ部の突起部とテーパ部の一例を示す概略説明図である。
【図５】（Ａ）は２芯同軸ケーブルの斜視図で、（Ｂ）は（Ａ）の縦断面図である。
【図６】従来の２芯同軸ケーブルのコネクタ接続状態を示す斜視図である。
【符号の説明】
１　２芯同軸ケーブル（伝送ケーブル）
３　信号線
９　ドレイン線
１７　コネクタ
１９Ａ，１９Ｂ　接続部（シグナルコンタクト２１の）
２１　シグナルコンタクト
２３　グランド接続部
２５　グランドコンタクト
２７　上端子部
２９　下端子部
３１　ブリッジ部
３３　上クランプ部
３５　下クランプ部
３７　クランプ部（グランド接続部２３に該当）
３９　突起部
４１　テーパ部
【図１】
2004087197.tif 000003
【図２】
2004087197.tif 000004
【図３】
2004087197.tif 000005
【図４】
2004087197.tif 000006
【図５】
2004087197.tif 000007
【図６】
2004087197.tif 000008